(57)【要約】【課題】かご内の乗客の利便性およびセキュリティを向上させることのできるエレベータの情報表示システムを得る。【解決手段】乗場操作盤（１０）は、乗客が入力した目的地に対してエレベータ制御装置（２０）によって割り当てられた固有色をその乗客に対して通知するとともに、かご内情報表示装置（３０）は、停止階床のレイアウトに応じて、乗客の目的地までのルートを、その目的地に対してエレベータ制御装置（１０）によって割り当てられた固有色を用いて識別表示する。【選択図】図１
2015117115.tif 000002
【特許請求の範囲】
【請求項１】
各階床に設置され、エレベータを利用する乗客がかごに乗る前に行う操作によって、前記乗客の目的階床のレイアウト内に含まれる位置として特定される目的地の入力を目的地情報として受け付ける乗場操作盤と、
前記乗場操作盤から受信した前記目的地情報に基づいて、前記エレベータの動作を制御するエレベータ制御装置と、
階床毎のレイアウトデータをあらかじめ記憶しており、前記エレベータのかごを次に停止させる停止階床を含む次階情報を前記エレベータ制御装置から受信し、受信した前記次階情報に含まれる停止階床に対応したレイアウトデータを表示することで、次の停止階床を通知するかご内情報表示装置と、
を備えたエレベータの情報表示システムであって、
前記エレベータ制御装置は、
前記乗場操作盤に対しては、前記乗場操作盤から前記目的地情報を受信した場合に、同一の目的階床に含まれる複数の目的地のそれぞれに対して個別の色を割り当てるようにして、受信した前記目的地情報に含まれる前記目的地に対して固有色を割り当て、割り当てた前記固有色を送信し、
前記かご内情報表示装置に対しては、前記エレベータのかごを次に停止させる停止階床に対応した１以上の目的地情報と、前記１以上の目的地情報に対応して割り当てた固有色とを、前記次階情報として送信し、
前記乗場操作盤は、前記エレベータ制御装置から受信した前記固有色を表示することで、前記乗場操作盤を操作した乗客に対して、入力した目的地に対応した前記固有色を通知し、
前記かご内情報表示装置は、前記エレベータ制御装置から受信した前記次階情報に基づいて、次の停止階床に対応して表示した前記レイアウトデータ上に、乗客毎の個別の目的地までのルートを、それぞれの目的地に応じて個別に割り当てられた固有色を用いて識別表示する
エレベータの情報表示システム。
【請求項２】
請求項１に記載のエレベータの情報表示システムにおいて、
前記かご内情報表示装置は、表示した前記レイアウトデータ上に、前記乗客毎の個別の目的地以外の目的地までのダミールートを、前記乗客毎の個別の目的地に応じて個別に割り当てられた固有色以外の色を用いてさらに表示する
エレベータの情報表示システム。
【発明の詳細な説明】
【技術分野】
【０００１】
本発明は、乗客の目的地までのルートが示された目的階床のレイアウトデータ（地図データ）を、エレベータのかご内に設けられたかご内情報表示装置に表示するエレベータの情報表示システムに関するものである。
【背景技術】
【０００２】
従来、乗場で目的の客室番号（部屋番号）を登録すると、自動的にエレベータの行先階が登録され、乗客が登録された行き先階でかごから降りる際に、その階床のレイアウトデータをかご内の表示部に表示する技術がある（例えば、特許文献１参照）。
【０００３】
また、乗場で認証された人がかごに乗る際に、その乗客の目的地がある階床のレイアウトデータ等といった個人情報をかご内の表示部に表示するとともに、かご内に同乗者がいれば、セキュリティの関係上、その個人情報をその表示部に表示しない技術がある（例えば、特許文献２参照）。
【先行技術文献】
【特許文献】
【０００４】
【特許文献１】特許第４７５４７６５号公報
【特許文献２】特開２００７−２７６９６１号公報
【発明の概要】
【発明が解決しようとする課題】
【０００５】
しかしながら、従来技術には以下のような課題がある。
特許文献１に記載の従来技術においては、乗客が降りる階床のレイアウトデータが表示されるものの、そのレイアウトデータには目的地までのルートが示されていない。したがって、乗客は、表示されるレイアウトデータを見ながら、自身の目的地を探さなければならなく、乗客の利便性が損なわれるという問題点がある。
【０００６】
また、特許文献２に記載の従来技術においては、かご内に同乗者がいれば、その乗客の目的地がある階床のレイアウトデータが表示されない。したがって、レイアウトデータが表示されない場合、乗客は、自身の目的地を確認することができず、乗客の利便性が損なわれるという問題点がある。
【０００７】
本発明は、前記のような課題を解決するためになされたものであり、かご内の乗客の利便性およびセキュリティを向上させることのできるエレベータの情報表示システムを得ることを目的とする。
【課題を解決するための手段】
【０００８】
本発明におけるエレベータの情報表示システムは、各階床に設置され、エレベータを利用する乗客がかごに乗る前に行う操作によって、乗客の目的階床のレイアウト内に含まれる位置として特定される目的地の入力を目的地情報として受け付ける乗場操作盤と、乗場操作盤から受信した目的地情報に基づいて、エレベータの動作を制御するエレベータ制御装置と、階床毎のレイアウトデータをあらかじめ記憶しており、エレベータのかごを次に停止させる停止階床を含む次階情報をエレベータ制御装置から受信し、受信した次階情報に含まれる停止階床に対応したレイアウトデータを表示することで、次の停止階床を通知するかご内情報表示装置と、を備えたエレベータの情報表示システムであって、エレベータ制御装置は、乗場操作盤に対しては、乗場操作盤から目的地情報を受信した場合に、同一の目的階床に含まれる複数の目的地のそれぞれに対して個別の色を割り当てるようにして、受信した目的地情報に含まれる目的地に対して固有色を割り当て、割り当てた固有色を送信し、かご内情報表示装置に対しては、エレベータのかごを次に停止させる停止階床に対応した１以上の目的地情報と、１以上の目的地情報に対応して割り当てた固有色とを、次階情報として送信し、乗場操作盤は、エレベータ制御装置から受信した固有色を表示することで、乗場操作盤を操作した乗客に対して、入力した目的地に対応した固有色を通知し、かご内情報表示装置は、エレベータ制御装置から受信した次階情報に基づいて、次の停止階床に対応して表示したレイアウトデータ上に、乗客毎の個別の目的地までのルートを、それぞれの目的地に応じて個別に割り当てられた固有色を用いて識別表示するものである。
【発明の効果】
【０００９】
本発明によれば、乗客が乗場操作盤から入力した目的地に対して割り当てられた固有色をその乗客に対して通知するとともに、停止階床のレイアウトに応じて、乗客の目的地までのルートを、その目的地に対して割り当てられた固有色を用いて識別表示する。これにより、かご内の乗客の利便性およびセキュリティを向上させることのできるエレベータの情報表示システムを得ることができる。
【図面の簡単な説明】
【００１０】
【図１】本発明の実施の形態１におけるエレベータの情報表示システムを示す構成図である。
【図２】本発明の実施の形態１における乗場操作盤の一例を示す構成図である。
【図３】本発明の実施の形態１におけるエレベータ制御装置の構成を示すブロック図である。
【図４】本発明の実施の形態１におけるエレベータ制御装置内の建物構成記憶部の構成の一例を示す説明図である。
【図５】本発明の実施の形態１におけるエレベータ制御装置内の割り当て状態記憶部の構成の一例を示す説明図である。
【図６】本発明の実施の形態１におけるかご内情報表示装置の構成を示すブロック図である。
【図７】本発明の実施の形態１におけるかご内情報表示装置内のデータ表示部が表示する目的地までのルートが示された階床のレイアウトデータの一例を示す説明図である。
【図８Ａ】本発明の実施の形態１におけるエレベータ制御装置が乗場操作盤に対して割り当て情報を送信する際に行う一連の動作を示すフローチャートである。
【図８Ｂ】本発明の実施の形態１におけるエレベータ制御装置がかご内情報表示装置に対して次階情報を送信する際に行う一連の動作を示すフローチャートである。
【図９】本発明の実施の形態１におけるかご内情報表示装置の一連の動作を示すフローチャートである。
【発明を実施するための形態】
【００１１】
以下、本発明によるエレベータの情報表示システムを、好適な実施の形態にしたがって図面を用いて説明する。なお、図面の説明においては、同一要素には同一符号を付し、重複する説明を省略する。また、以下の実施の形態１では、本願発明を集合住宅に設置されるエレベータに適用した場合を例示するとともに、乗場操作盤１０を操作して目的地を入力した乗客を乗せるエレベータの複数の号機のうち、Ａ号機が割り当てられる場合を例示して説明する。
【００１２】
実施の形態１．
図１は、本発明の実施の形態１におけるエレベータの情報表示システムを示す構成図である。
【００１３】
この図１におけるエレベータの情報表示システムは、各階床のエレベータ乗場（図１中、ｘ階乗場としている）の乗場出入口１に設けられる乗場操作盤１０と、エレベータの動作を制御するエレベータ制御装置２０と、エレベータのかご２内に設けられるかご内情報表示装置３０とを備える。
【００１４】
次に、乗場操作盤１０について、図２を参照しながら説明する。図２は、本発明の実施の形態１における乗場操作盤１０の一例を示す構成図である。
【００１５】
乗場操作盤１０は、エレベータを利用する乗客がかご２に乗る前に行う操作によって、乗客の目的階床のレイアウト内に含まれる位置として特定される目的地の入力を目的地情報として受け付ける。
【００１６】
具体的には、例えば、図２に示すように、乗場操作盤１０には、目的地（部屋番号）を入力するためのテンキー式入力装置１１と、テンキー式入力装置１１を操作した乗客（利用客）に対して画像を表示する乗場表示装置１２が設けられている。
【００１７】
そして、乗客は、テンキー式入力装置１１を操作して、自身の目的地として部屋番号を入力することで、エレベータの行先階が登録される。また、乗場操作盤１０は、乗客が入力した目的地を目的地情報として、エレベータ制御装置２０に送信する。さらに、乗場表示装置１２には、乗客が入力した目的地と、その乗客に対して割り当てられたエレベータの号機を示すアルファベットとが表示される。なお、このアルファベットの表示の詳細については、後述する。
【００１８】
次に、エレベータ制御装置２０について、図３〜図５を参照しながら説明する。図３は、本発明の実施の形態１におけるエレベータ制御装置２０の構成を示すブロック図である。図４は、本発明の実施の形態１におけるエレベータ制御装置２０内の建物構成記憶部２２の構成の一例を示す説明図である。図５は、本発明の実施の形態１におけるエレベータ制御装置２０内の割り当て状態記憶部２３の構成の一例を示す説明図である。
【００１９】
エレベータ制御装置２０は、乗場操作盤１０から受信した目的地情報に基づいて、エレベータの動作を制御する。
【００２０】
具体的には、例えば、図３に示すように、エレベータ制御装置２０は、割り当て情報処理部２１、建物構成記憶部２２、割り当て状態記憶部２３、目的地情報受信部２４、割り当て情報送信部２５、次階情報送信部２６およびエレベータ制御部２７を有する。
【００２１】
割り当て情報処理部２１は、目的地情報受信部２４を介して、乗場操作盤１０から目的地情報を受信し、建物構成記憶部２２から、受信した目的地（目的地情報）に対応する階床を抽出する。なお、図４に示すように、建物構成記憶部２２には、目的地（部屋番号）と、その目的地の階床（目的階床）とが関連付けられてあらかじめ記憶されている。
【００２２】
また、割り当て情報処理部２１は、割り当て状態記憶部２３に記憶される現在の割り当て状態に基づいて、受信した目的地に対して固有色を割り当てる。さらに、割り当て情報処理部２１は、目的地と、その目的地に対して割り当てられた固有色とを関連付けて、割り当て状態記憶部２３に記憶する。すなわち、図５に示すように、割り当て情報処理部２１が受信した目的地に対して固有色を割り当てる毎に、割り当て状態記憶部２３に割り当て結果を記憶していく。
【００２３】
また、割り当て情報処理部２１は、割り当て状態記憶部２３に記憶される現在の割り当て状態に基づいて、受信した目的地に対して固有色を割り当てることで、階床が同じである複数の目的地のそれぞれに対して割り当てる色が重複しないようにしている。換言すると、割り当て情報処理部２１は、同一の目的階床に含まれる複数の目的地のそれぞれに対して個別の色を割り当てるようにして、受信した目的地情報に含まれる目的地に対して固有色を割り当てる。
【００２４】
また、割り当て情報処理部２１は、乗客に対して割り当てられるエレベータの号機と、乗場操作盤１０から受信した目的地に対して割り当てた固有色とを、割り当て情報として、乗場操作盤１０に割り当て情報送信部２５を介して送信する。
【００２５】
このような割り当て情報の送信によって、乗場操作盤１０内の乗場表示装置１２には、乗客が入力した目的地ととともに、その乗客に対して割り当てられたＡ号機を示すアルファベット「Ａ」が表示される。また、「Ａ」は、乗客の目的地に対して割り当てられた固有色で表示される。このような色の表示によって、乗客は、乗場操作盤１０に入力した自身の目的地に対して割り当てられた固有色を認識する。
【００２６】
また、割り当て情報処理部２１は、エレベータ制御部２７に建物構成記憶部２２から抽出した階床を送信する。
【００２７】
エレベータ制御部２７は、割り当て情報処理部２１から送信された階床を、行先階として登録し、行先階登録に基づいてＡ号機の運行を制御する。また、エレベータ制御部２７は、行先階登録に基づいて運行中のＡ号機を次に停止させる階床（停止階床）を、停止階床情報として、割り当て情報処理部２１に送信する。
【００２８】
また、割り当て情報処理部２１は、エレベータ制御部２７から受信した停止階床の目的地と、その目的地に対して割り当てられた固有色とを、割り当て状態記憶部２３から抽出する。さらに、割り当て情報処理部２１は、受信した停止階床と、抽出した停止階床の目的地およびその目的地に対して割り当てられた固有色とを、次階情報として、かご内情報表示装置３０に次階情報送信部２６を介して送信する。
【００２９】
換言すると、割り当て情報処理部２１は、エレベータ２のかごを次に停止させる停止階床と、エレベータのかご２を次に停止させる停止階床に対応した１以上の目的地情報と、１以上の目的地情報に対応して割り当てた固有色とを、次階情報として、かご内情報表示装置３０に送信する。
【００３０】
次に、かご内情報表示装置３０について、図６、図７を参照しながら説明する。図６は、本発明の実施の形態１におけるかご内情報表示装置３０の構成を示すブロック図である。図７は、本発明の実施の形態１におけるかご内情報表示装置３０内のデータ表示部３３に表示される目的地までのルートが示された階床のレイアウトデータの一例を示す説明図である。
【００３１】
かご内情報表示装置３０は、階床毎のレイアウトデータをあらかじめ記憶しており、エレベータのかごを次に停止させる停止階床を含む次階情報をエレベータ制御装置２０から受信し、受信した次階情報に含まれる停止階床に対応したレイアウトデータを表示することで、次の停止階床を通知する。
【００３２】
具体的には、例えば、図６に示すように、かご内情報表示装置３０は、データ処理部３１、レイアウトデータ情報記憶部３２、データ表示部３３および次階情報受信部３４を有する。
【００３３】
データ処理部３１は、次階情報受信部３４を介して、エレベータ制御装置２０から次階情報を受信する。また、データ処理部３１は、受信した次階情報に含まれる停止階床のレイアウトデータを、レイアウトデータ情報記憶部３２から抽出する。なお、レイアウトデータ情報記憶部２２には、各階床のレイアウトデータがあらかじめ記憶されている。
【００３４】
そして、データ処理部３１は、抽出した停止階床のレイアウトデータ上に、受信した次階情報に含まれる目的地までのルートをその目的地に割り当てられた固有色で示し、データ表示部３３に表示する。
【００３５】
換言すると、データ処理部３１は、エレベータ制御装置２０から受信した次階情報に基づいて、次に停止階床に対応して表示したレイアウトデータ上に、乗客毎の個別の目的地までのルートを、それぞれの目的地に応じて個別に割り当てられた固有色を用いて識別表示する。
【００３６】
なお、データ処理部３１は、データ表示部３３に表示したレイアウトデータ上に、乗客毎の目的地以外の目的地までのダミールートを、乗客毎の個別の目的地に応じて個別に割り当てられた固有色以外の色を用いてさらに表示することもできる。この場合、データ表示部３３によって、例えば、図７に示すレイアウトデータが表示される。
【００３７】
次に、エレベータの情報表示システムの一連の動作について、図８Ａ、８Ｂおよび図９のフローチャートを参照しながら説明する。
【００３８】
図８Ａは、本発明の実施の形態１におけるエレベータ制御装置２０が乗場操作盤１０に対して割り当て情報を送信する際に行う一連の動作を示すフローチャートである。図８Ｂは、本発明の実施の形態１におけるエレベータ制御装置２０がかご内情報表示装置３０に対して次階情報を送信する際に行う一連の動作を示すフローチャートである。図９は、本発明の実施の形態１におけるかご内情報表示装置３０の一連の動作を示すフローチャートである。なお、図８Ａ、８Ｂおよび図９のそれぞれのフローチャートにおける一連の処理は、あらかじめ設定された処理周期毎に繰り返し実行される。
【００３９】
はじめに、エレベータ制御装置２０が乗場操作盤１０に対して割り当て情報を送信する際に行う一連の動作について、図８Ａを参照しながら説明する。
【００４０】
図８ＡのステップＳ１０１において、割り当て情報処理部２１は、乗場操作盤１０から目的地情報を受信したか否かを判定する。そして、ステップＳ１０１において、割り当て情報処理部２１は、目的地情報を受信した（すなわち、Ｙｅｓ）と判定した場合には、ステップＳ１０２へと進む。
【００４１】
具体的には、乗客が乗場操作盤１０を操作して、目的地として例えば「３０１」を入力したとする。この場合、割り当て情報処理部２１は、目的地情報として「３０１」を受信し、結果として、目的地情報を受信したと判定することとなる。
【００４２】
一方、ステップＳ１０１において、割り当て情報処理部２１は、目的地情報を受信していない（すなわち、Ｎｏ）と判定した場合には、一連の処理を終了する。
【００４３】
ステップＳ１０２において、割り当て情報処理部２１は、建物構成記憶部２２から、受信した目的地の階床を抽出し、ステップＳ１０３へと進む。
【００４４】
具体的には、例えば、受信した目的地が「３０１」であるとする。この場合、先の図４から「３０１」の階床として、「３階」が抽出される。
【００４５】
ステップＳ１０３において、割り当て情報処理部２１は、エレベータ制御部２７に抽出した階床を送信し、ステップＳ１０４へと進む。また、エレベータ制御部２７は、受信した階床を行先階として登録する。
【００４６】
具体的には、例えば、受信した目的地が「３０１」であり、「３階」が抽出されたとする。この場合、エレベータ制御部２７に、抽出した階床として、「３階」が送信される。また、エレベータ制御部２７は、受信した「３階」を行先階として登録する。
【００４７】
ステップＳ１０４において、割り当て情報処理部２１は、割り当て状態記憶部２３に記憶される現在の割り当て状態に基づいて、受信した目的地に対して固有色を割り当て、ステップＳ１０５へと進む。なお、前述したように、割り当て情報処理部２１は、固有色を割り当てるだけでなく、割り当て結果を割り当て状態記憶部２３に記憶する。
【００４８】
具体的には、例えば、受信した目的地が「３０１」であり、現在の割り当て状態として、すでに「３０２」に対して「緑」が割り当てられていたとする。この場合、「３階」にある目的地の中でまだ割り当てられていない固有色として、重複しないように、「緑」以外の固有色（例えば「赤」）が「３０１」に対して割り当てられる。また、割り当て情報処理部２１は、割り当て結果として、「３０１」および「赤」を関連付けて、割り当て状態記憶部２３に記憶すれば、割り当て状態記憶部２３は、先の図５に示す状態となる。
【００４９】
ステップＳ１０５において、割り当て情報処理部２１は、乗場操作盤１０に割り当て情報を送信し、一連の処理を終了する。そして、乗場操作盤１０に割り当て情報が送信されれば、乗場表示装置１２には、Ａ号機を示すアルファベット「Ａ」が表示され、「Ａ」の表示色は、乗客の目的地に対して割り当てられた固有色となる。
【００５０】
具体的には、例えば、受信した目的地が「３０１」であり、「３０１」に割り当てられた固有色が「赤」であるとする。この場合、乗場操作盤１０に割り当て情報（「Ａ」および「赤」）が送信され、乗場表示装置１２には、先の図２に示すように、表示色が「赤」の「Ａ」が表示される。このような表示によって、乗場操作盤１０を操作して「３０１」と入力した乗客は、Ａ号機に乗ればよいことが分かるとともに、「３０１」に対して割り当てられた固有色が「赤」であることを認識する。
【００５１】
なお、ここでは、乗場操作盤１０について、表示色が「赤」の「Ａ」が表示されるように構成したが、具体的に文字で「赤」と表示されるように構成してもよい。
【００５２】
次に、エレベータ制御装置２０がかご内情報表示装置３０に対して次階情報を送信する際に行う一連の動作について、図８Ｂを参照しながら説明する。
【００５３】
図８ＢのステップＳ２０１において、割り当て情報処理部２１は、エレベータ制御部２７から停止階床情報を受信したか否かを判定する。そして、ステップＳ２０１において、割り当て情報処理部２１は、停止階床情報を受信した（すなわち、Ｙｅｓ）と判定した場合には、ステップＳ２０２へと進む。
【００５４】
具体的には、例えば、エレベータ制御部２７は、割り当て情報処理部２１から送信された階床である「３階」を、行先階として登録し、行先階登録に基づいてＡ号機の運行を制御し、次に「３階」に停止させようとしているとする。この場合、割り当て情報処理部２１は、停止階床情報として「３階」を受信し、結果として、停止階床情報を受信したと判定することとなる。
【００５５】
一方、ステップＳ２０１において、割り当て情報処理部２１は、停止階床情報を受信していない（すなわち、Ｎｏ）と判定した場合には、一連の処理を終了する。
【００５６】
ステップＳ２０２において、割り当て情報処理部２１は、割り当て状態記憶部２３から、受信した停止階床にある目的地と、その目的地に割り当てられた固有色とを抽出し、ステップＳ２０３へと進む。
【００５７】
具体的には、例えば、割り当て情報処理部２１が停止階床として「３階」を受信した際に、割り当て状態記憶部２３は、先の図５に示す状態になっているとする。この場合、割り当て情報処理部２１は、「３階」にある目的地の「３０１」および「３０１」に割り当てられた固有色の「赤」と、「３０２」および「３０２」に割り当てられた固有色の「緑」とを抽出する。
【００５８】
ステップＳ２０３において、割り当て情報処理部２１は、かご内情報表示装置３０に次階情報を送信し、一連の処理を終了する。
【００５９】
具体的には、例えば、割り当て情報処理部２１は、停止階床として「３階」を受信し、割り当て状態記憶部２３から「３０１」および「赤」と、「３０２」および「緑」とを抽出したとする。この場合、割り当て情報処理部２１は、次階情報として、「３階」と、「３０１」および「赤」と、「３０２」および「緑」とをかご内情報表示装置３０に送信する。
【００６０】
次に、本発明の実施の形態１におけるかご内情報表示装置３０の一連の動作について、図９を参照しながら説明する。
【００６１】
図９のステップＳ３０１において、データ処理部３１は、エレベータ制御装置２０から次階情報を受信したか否かを判定する。そして、ステップＳ３０１において、データ処理部３１は、次階情報を受信した（すなわち、Ｙｅｓ）と判定した場合には、ステップＳ３０２へと進む。
【００６２】
一方、ステップＳ３０１において、データ処理部３１は、次階情報を受信していない（すなわち、Ｎｏ）と判定した場合には、一連の処理を終了する。
【００６３】
ステップＳ３０２において、データ処理部３１は、受信した次階情報に含まれる停止階床のレイアウトデータをレイアウトデータ情報記憶部３２から抽出し、ステップＳ３０３へと進む。
【００６４】
ステップＳ３０３において、データ処理部３１は、目的地の数があらかじめ設定されたダミールート設定数以上であるか否かを判定する。なお、ここでいう目的地の数とは、受信した次階情報に含まれる停止階床にある目的地の場所数である。そして、ステップＳ３０３において、データ処理部３１は、目的地の数がダミールート設定数以上である（すなわち、Ｙｅｓ）と判定した場合には、ステップＳ３０４へと進む。
【００６５】
ステップＳ３０４において、データ処理部３１は、抽出したレイアウトデータ上に、目的地までのルートをその目的地に割り当てられた固有色で示すことで、新たなレイアウトデータとして、第１表示用レイアウトデータを作成する。そして、データ処理部３１は、作成した第１表示用レイアウトデータをデータ表示部３３に表示し、一連の処理を終了する。
【００６６】
具体的には、例えば、ダミールート設定数が２とあらかじめ設定され、データ処理部３１は、次階情報として、「３階」と、「３０１」および「赤」と、「３０２」および「緑」とを受信したとする。この場合、目的地の数が２であり、ダミールート設定数（＝２）以上である。したがって、「３階」のレイアウトデータ上に、「３０１」までのルートを「赤」で示すとともに、「３０２」までのルートを「緑」で示すことで、第１表示用レイアウトデータを作成する。
【００６７】
一方、ステップＳ３０３において、データ処理部３１は、目的地の数がダミールート設定数未満である（すなわち、Ｎｏ）と判定した場合には、ステップＳ３０５へと進む。
【００６８】
ステップＳ３０５において、データ処理部３１は、抽出したレイアウトデータ上に、目的地までのルートをその目的地に割り当てられた固有色で示すとともに、さらに、ダミールートとして、目的地とは異なる場所までのルートを目的地に対して割り当てられた固有色とは異なる色で示すことで、第２表示用レイアウトデータを作成する。そして、データ処理部３１は、作成した第２表示用レイアウトデータをデータ表示部３３に表示し、一連の処理を終了する。
【００６９】
具体的には、例えば、ダミールート設定数が３とあらかじめ設定され、データ処理部３１は、次階情報として、「３階」と、「３０１」および「赤」と、「３０２」および「緑」とを受信したとする。この場合、目的地の数が２であり、ダミールート設定数（＝３）未満である。したがって、「３階」のレイアウトデータ上に、「３０１」までのルートを「赤」で示し、「３０２」までのルートを「緑」で示すとともに、ダミールートとして、「３０１」および「３０２」以外の場所までのルートを「赤」および「緑」とは異なる色で示すことで、第２表示用レイアウトデータを作成する。
【００７０】
なお、データ処理部３１は、第２表示用レイアウトデータに示されるダミールートの数を、ダミールート設定数と同じ数になるように構成してもよい。この場合、第２表示用レイアウトデータには、目的地に対して割り当てられた固有色とは異なり、さらにそれぞれが異なる色で示される３つのダミールートが存在することとなる。例えば、先の図７に示すように、「３０１」までのルートが「赤」で示され、「３０２」までのルートが「緑」で示されるとともに、ダミールートとして、「３０３」までのルートが「黒」で示され、「３０４」までのルートが「黄」で示され、「３０５」までのルートが「青」で示される第２表示用レイアウトデータが作成される。
【００７１】
このように、かご内情報表示装置３０は、エレベータが次に停止する階床のレイアウトデータを抽出し、抽出したレイアウトデータ上に、目的地までのルートをその目的地に対して割り当てられた固有色で示して、乗客に対して提供する。
【００７２】
これにより、乗場操作盤から入力した目的地に対して割り当てられた固有色を認識した乗客は、提供されるレイアウトデータからその固有色で示されたルートを見つけることで、目的地までのルートを確認することができる。したがって、乗客は、道に迷うことなく、目的地にたどり着くことができ、利便性が向上する。また、かご内情報表示装置３０が提供するレイアウトデータ上にルートが示される目的地が多い場合（すなわち、かご２から降りる乗客が多い場合）、かご２内に同乗者がいても、かご２から降りる乗客がそれぞれどの目的地に行くか同乗者に特定されず、セキュリティの問題も生じることがない。
【００７３】
また、かご内情報表示装置３０が提供するレイアウトデータ上にルートが示される目的地が少ない場合（すなわち、かご２から降りる乗客が少ない場合）、かご２内に同乗者がいれば、かご２から降りる乗客の目的地が同乗者に特定されやすくなり、セキュリティの問題が生じる。しかしながら、かご内情報表示装置３０は、目的地の数がダミールート設定数未満であれば、レイアウトデータ上に、目的地までのルートと併せて、ダミールートとして、目的地以外の場所までのルートも提供する。
【００７４】
これにより、かご内に同乗者がいた場合であっても、同乗者は、かご２から降りる乗客の目的地に対して割り当てられた固有色を知らないので、かご２から降りた乗客がどの目的地に行くのか特定できない。その結果、同乗者に目的地を知られてしまうといったセキュリティの問題も生じることがない。
【００７５】
以上、本実施の形態１によれば、エレベータ制御装置は、乗場操作盤に対しては、乗場操作盤から目的地情報を受信した場合に、同一の目的階床に含まれる複数の目的地のそれぞれに対して個別の色を割り当てるようにして、受信した目的地情報に含まれる目的地に対して固有色を割り当て、割り当てた固有色を送信する。また、エレベータ制御装置は、かご内情報表示装置に対しては、エレベータのかごを次に停止させる停止階床に対応した１以上の目的地情報と、１以上の目的地情報に対応して割り当てた固有色とを、次階情報として送信する。さらに、乗場操作盤は、エレベータ制御装置から受信した固有色を表示することで、乗場操作盤を操作した乗客に対して、入力した目的地に対応した固有色を通知し、かご内情報表示装置は、エレベータ制御装置から受信した次階情報に基づいて、次の停止階床に対応して表示したレイアウトデータ上に、乗客毎の個別の目的地までのルートを、それぞれの目的地に応じて個別に割り当てられた固有色を用いて識別表示する。
【００７６】
これにより、かご内の乗客の利便性を向上させることができるとともに、かごから降りる乗客が多い場合、かご内に同乗者がいても、かごから降りる乗客がそれぞれどの目的地に行くか同乗者に特定されず、セキュリティを向上させることができる。
【００７７】
また、かご内情報表示装置は、表示したレイアウトデータ上に、乗客毎の個別の目的地以外の目的地までのダミールートを、乗客毎の個別の目的地に応じて個別に割り当てられた固有色以外の色を用いてさらに表示する。
【００７８】
これにより、かご内に同乗者がいた場合であっても、同乗者は、かごから降りる乗客の目的地に対して割り当てられた色を知らないので、かごから降りた乗客がどの目的地に行くのか特定できない。その結果、同乗者に目的地を知られてしまうといったセキュリティの問題も生じることがなく、セキュリティをさらに向上させることができる。
【符号の説明】
【００７９】
１  乗場出入口、２  かご、１０  乗場操作盤、１１  テンキー式入力装置、１２  乗場表示装置、２０  エレベータ制御装置、２１  割り当て情報処理部、２２  建物構成記憶部、２３  割り当て状態記憶部、２４  目的地情報受信部、２５  割り当て情報送信部、２６  次階情報送信部、２７  エレベータ制御部、３０  かご内情報表示装置、３１  データ処理部、３２  レイアウトデータ情報記憶部、３３  データ表示部、３４  次階情報受信部。
【図１】
2015117115.tif 000003
【図２】
2015117115.tif 000004
【図３】
2015117115.tif 000005
【図４】
2015117115.tif 000006
【図５】
2015117115.tif 000007
【図６】
2015117115.tif 000008
【図７】
2015117115.tif 000009
【図８Ａ】
2015117115.tif 000010
【図８Ｂ】
2015117115.tif 000011
【図９】
2015117115.tif 000012